(57)【特許請求の範囲】
【請求項１】
マットレス支持組立体と、
長手方向に延長した第１及び第２の離間配置された側レールと、これらの側レールの横方向に配置された頭端レール及び脚端レールとを含み、前記第１及び第２側レールが前記頭端及び脚端レールによって対向端で接続されている長方形の境界を持つ枠と、
前記側レールの上位に配置され、前記側レールの横方向に延長して、前記頭端及び脚端レールの中間の前記側レール間の空間に広がる複数のクロス補強板と、
前記側レールの上位に配置され、前記側レールの横方向に延長して、前記頭端及び脚端レールの中間の前記側レール間の空間に広がる少なくとも１つのＬ字状クロス補強梁を備えた逸れ減少補強素子とを備え、
前記Ｌ字状クロス補強梁は、前記枠から垂直に上方に延長した直立ウェブ区分と、前記枠の長手方向に水平に延長した水平フランジ区分とを持っていて、前記Ｌ字状クロス補強梁の前記水平フランジ区分がその水平な上位フランジ面に直接に取付けられるべきバネを備えることを弾性マットレス支持組立体に可能にするために構築され寸法化されるように、前記側レール間に横方向に延長した上方に出現している前記上位フランジ面を形成している、マットレスを支持するためのベッド基礎。
【請求項２】
２つの前記Ｌ字状クロス補強梁を含む請求項１に記載の枠組構造。
【請求項３】
前記２つのＬ字状クロス補強梁は、前記頭端レール及び前記脚端レールの中間の略中央に配置される請求項２に記載の枠組構造。
【請求項４】
前記２つのＬ字状クロス補強梁は、前記クロス補強板の横方向の中心線から等距離に離間配置され、前記２つのＬ字状クロス補強梁の横断面は、前記枠に対称に配向している請求項２に記載の枠組構造。
【請求項５】
前記頭端及び脚端レールに取り付けられ前記各クロス補強板の下側に固定された長手方向に延長した中央支持レールを含む請求項１に記載の枠組構造。
【請求項６】
前記弾性マットレス支持組立体に使用される前記バネは、コイル、基本バネ、板バネ、モジュール式及びトーションバネから成る群から選択される請求項１に記載の枠組構造。
【請求項７】
枠組構造と弾性マットレス支持組立体とを備えた、マットレスを支持するための補強されたベッド基礎であって、
前記枠組構造は、長手方向に延長した第１及び第２の離間配置された側レールと、これらの側レールの横方向に配置された頭端レール及び脚端レールとから形成され、前記第１及び第２側レールが前記頭端及び脚端レールによって対向端で接続されている境界と、
前記側レールの上位に配置され、前記側レールの横方向に延長して、前記頭端及び脚端レールの中間の前記側レール間の空間に広がる複数のクロス補強板と、
前記側レールの上位に配置され、前記側レールの横方向に延長して、前記頭端及び脚端レールの中間の前記側レール間の空間に広がる少なくとも１つのＬ字状クロス補強梁を備えた逸れ減少補強素子とを備え、
前記Ｌ字状クロス補強梁は、前記境界から垂直に上方に延長した直立ウェブ区分と、前記境界の長手方向に水平に延長した水平フランジ区分とを持っていて、前記側レール間に横方向に延長した上方に出現している水平な上位フランジ面を形成しており、
前記弾性マットレス支持組立体は、前記Ｌ字状クロス補強梁の前記上位フランジ面に直接に取付けられているバネを備えている、マットレスを支持するための補強されたベッド基礎。
【請求項８】
前記枠組構造は、２つの前記Ｌ字状クロス補強梁を含む請求項７に記載の補強されたベッド基礎。
【請求項９】
前記２つのＬ字状クロス補強梁は、前記頭端レール及び前記脚端レールの中間の略中央に配置される請求項８に記載の補強されたベッド基礎。
【請求項１０】
前記２つのＬ字状クロス補強梁は、クロス補強板の横方向の中心線から等距離に離間配置され、前記２つのＬ字状クロス補強梁の横断面は、前記境界に対称に配向している請求項８に記載の補強されたベッド基礎。
【請求項１１】
前記枠組構造は、前記頭端及び脚端レールに取付られ前記各クロス補強板の下側に固定された長手方向に延長した中央支持レールを含む請求項７に記載の補強されたベッド基礎。
【請求項１２】
前記マットレス支持組立体に使用された前記バネは、コイル、基本バネ、板バネ、モジュール式及びトーションバネから成る群から選択される請求項７に記載の補強されたベッド基礎。
【発明の詳細な説明】
【０００１】
【発明の分野】
本発明の分野は、補強されたベッド基礎に関し、特にマットレス用の弾性又は非弾性基礎の荷重下の耐逸れ特性を増加させる補強を形成する枠組構造に関する。
【０００２】
【関連した技術の説明】
ベッド産業において、マットレス用の基礎は、弾性又は非弾性構成を持っている。一般に、弾性基礎は、枠組構造が枠組構造上で支持されたワイヤバネの組立体及びこのバネの上に敷かれた詰め物入り上面に用いられる、『ちょうちんバネ』構成として参照されたタイプを持っている。この全部の構成は、通常その周辺のまわりの枠組構造の下側に鋲又はホッチキスで留められ、さもなければジグザグ縫いされた予め縫製された丈夫な綿布内に包まれる。軽量プラスチックフィルム等材料から形成された埃除けカバーは、通常、枠組構造の下側へ敷き詰められる。このような構成の例は、Ｂａｒｉｇｈｔ氏のために発行された米国特許第４，３３９，５７３号及びＤｉｌｌｏｎ氏等に発行された米国特許第４，５１９，１０７号に開示され、両方がこの譲受人に譲渡され、その開示が参照によってここに明確に協働される。
【０００３】
従来の非弾性基礎において、弾性構成のバネはなく、マットレスは、枠組構造から延長し結び付けられたワイヤ又はプラスチック製ループ、ネット又はスクリーン或いは木製又はプラスチック製ブロック等のような支持組立体に載せられる。詰め物入り上面は支持組立体の上で敷き詰められ、通常この全部の構成は、枠組構造の下側に敷き詰められた埃除けカバーによって、その周辺のまわりの枠組構造の下側に鋲又はホッチキスで留められ、さもなければジグザグ縫いされた予め縫製された丈夫な綿布内で包まれる。
【０００４】
伝統的に弾性及び非弾性基礎は、中央レールの有無に拘わらず、枠隅で相互に釘止めされる側レール及び端部レールを持つ平らな材木の周辺枠及び枠間に橋渡しされる多数のクロス羽板から成る未補強木製枠組構造を用いて、製造された。このような構成は、通常荷重を周辺の支持体にのみ持たせる強度が十分であることがわかった。しかしながら、このような枠は、荷重下で相当な逸れを表し、やがてある程度の恒久的な逸れに展開してもよい。この恒久的逸れは、マットレス用の平坦支持表面を形成する基礎の意図した機能と干渉する。
【０００５】
たわんでいる基礎は、マットレスのたわみ或いは傾斜によって示され、マットレスの必須機能と干渉し、すなわち身体重量の不均一な分布にも拘わらず背伸びした（大の字の）身体を均一に支持するように運ぶ。それに加えて、基礎は、見苦しく魅力的でないとみなされる凹みとして、マットレスに反映された恒久的なたるみを表すかもしれない。
【０００６】
これらの短所を救済するために、米国特許第４，３９９，５７３及び第４，５１９，１０７号で実施された発明は、長手方向に延長した支持梁が基礎の枠組構造のクロス羽板の上面に固定されることが提案される。例えば米国特許第４，３９９，５７３号において、Ｌ字状の枠を堅くさせる補強材又は梁は枠組構造のクロス羽板の上面に固定され、これらの枠を堅くさせる梁が枠の頭端から脚端までの全長に実質的に長手方向に延長している。これらの長手方向の梁は、基礎での弾性逸れと干渉しないで、ちょうちんバネの覆われた上面又は下面の滑らかな輪郭または外形を変えないように配置される。
【０００７】
米国特許第４，５１９，１０７号の構成において、中空円筒形ストップ部材は、弾性基礎内のバネが圧縮することができる量を制限するために開示される。その特許において補助的なＬ字状の補強材又は梁も用いられ得ることが開示される。その構成の使用に開示されたＬ字状の補強材又は梁は、頭から脚まで枠の全長にわたって長手方向に実質的に延長し、同様に長手方向に延長するがより短い距離用の他の梁又は補強材を伴い得る点で、米国特許第４，３９９，５７３号に開示されたそれらと同じ型式を持っている。
【０００８】
しかしながら、米国特許第４，３９９，５７３号及び第４，５１９，１０７号で実施された発明によって進歩が可能であるにも拘わらず、長手方向に延長した補強材又は梁を使用する基礎は、通常の荷重と出会った時に、それにも拘わらずあるレベルの逸れを表すことが発見された。将来、（即ち長期間の使用後）これらの基礎は、見苦しいたわんだ外観を持つマットレスに起因して、マットレスの必須機能と干渉する恒久的なたわみも経験し得る。
【０００９】
また、長手方向に延長した支持補強材又は梁を用いて構成された基礎は、組立中に特に米国特許第４，３９９，５７３号及び第４，５１９，１０７号の両方に開示されるように、補強材又は梁が枠組構造の全身に実質的に延長する時に、重大量の材料の使用を必要とする。従って、これらの構成は、明らかに望ましい量より多くの材料を用い、それによって基礎の追加された費用及び重量の結果となる。それに加えて、長手方向に延長した強化した補強材又は梁を用いるベッド基礎に使用される枠組構造は、補強材又は梁が長手方向に配向している時に、留め具がそれに印加された荷重によって剪断されないので、釘、ステープル及び同等の留め具のような留め具が枠部材を相互に連結させることに用いられる時に、継ぎ目で張力欠陥を表す傾向があることが発見された。
【００１０】
【発明の開示】
本発明の目的は、改善された補強されたベッド基礎を提供し、特に弾性又は非弾性で使われた種類の組立体に拘わらず、枠で耐える通常遭遇する荷重下で逸れに対して堅くさせるために、さもなければ従来の枠組構造の補強を提供することである。さらに、本発明は、Ｌ字状の補強材又は梁として構成された枠を堅くした逸れ減少補強素子が枠組構造の横方向に延長するように配置され、基礎内の側レールの上面及び中央支持に固定される構成を提供することによって従来技術の基礎の短所を改善し解決する。米国特許第４，３９９，５７３号及び米国特許第４，５１９，１０７号に開示された補強材又は梁と同様に、この発明のＬ字状の補強材又は梁は、基礎での弾性逸れと干渉しないで、基礎の覆い付けされた上面又は下面の滑らかな輪郭または外形を変えないで補強材又は梁区分の最も有利な配置のために配向することができる。
【００１１】
しかしながら、米国特許第４，３９９，５７３号及び米国特許第４，５１９，１０７号に開示された長手方向の配置と比較した時に、Ｌ字状の補強材又は梁の横方向の配向は、２５％〜５０％組立体の有効支持スパンを減少させる。このスパン減少は、９”ｘ１８”プラテンに集中した正規の２５０ポンド〜５００ポンド荷重検査によって負荷された時に、枠組構造での垂直逸れが１０％〜２０％減少する結果となる。また、横方向の配向は、Ｌ字状の補強材又は梁の水平ウェブ部材として現存するクロス羽板の使用を許容して、構成の材料コスト及び重量での節約を許容する。
【００１２】
追加的に本発明の構成において、弾性（例えばバネ）又は非弾性（例えばブロック又はワイヤ支持）のいずれかに配置されるマットレス支持組立体は、横方向に延長したＬ字状の補強材又は梁の水平フランジによって直接支持され、それによって印加された負荷で剪断されない継ぎ目の張力欠陥を除去する。最終的に、横方向のＬ字状の補強材又は梁の構成は、現行の組立体方法で改善された連続性を許容する。
【００１３】
本発明の前述の及び他の新規な特徴は、添付図面に関連して以下の詳細な説明を読んだときに明白になる。
【００１４】
【実施例】
今図面及びまず図１を参照して、一般に参照数字１０で指定された本発明の枠組構造は、ここの種々の説明に一般に参照数字１１ａ、１１ｂ、１１ｃ及び１１ｄで指定されたマットレス等用の基礎の構成に使用される。枠組構造１０は、頭端レール１６で枠１０の頭端に接続され脚端レール１８で枠１０の脚端に接続された、公称１ｘ３サイズの構成等級の標準材木から形成されてもよい一対の側レール１２及び１４を含む長方形の境界を持っている。これら端部レール１６及び１８は、例えば、その平面で側レール１２及び１４を接合する低位１ｘ２端部充填羽板および側レール１２及び１４に広がる上位１ｘ４基板から形成されてもよい。クロス羽板２０、２２、２４、２６、２８及び３０は、側レール１２及び１４の上面に配置されて、側レール１２及び１４間の横断距離に広がるように横方向に延長している。オプション的に、長手方向に延長した中央支持レール３１は、図１に説明されるように、頭及び脚レールの下面に取付られ、各クロス羽板２０〜３０の下側に固定されて、枠１０に追加の構造上の一体性及び強度を形成するようにしてもよい。
【００１５】
さらに図１に説明されるように、好ましくはクロス羽板２４及び２６が枠１０の長さに沿って中央に配置され、Ｌ字状の構築で形成されることは理解される。しかしながら、クロス羽板は、枠１０の長さに沿って所望の所に配置されてもよいことが注目されるべきであり、図面には２つのみのＬ字状のクロス羽板が示され、このような単一クロス補強材が用いられてもよく、或は所望ならば２つ以上のこのような補強材が本発明の構成に協働してもよいことは認識すべきことである。同様に、２つのＬ字状のクロス羽板２４及び２６がクロス羽板の横方向の中心線から等距離に離間配置され、補強材の断面が枠で対称に配向されるものとして、ここに説明される。このような構造上の構築は、他の構成が本発明の視野内で想像され、本発明で望ましいものとして認識すべきことである。
【００１６】
１つの側レール１２から他の側レール１４に横方向に延長したＬ字状のクロス羽板２４及び２６は、枠組構造１０に含まれて、枠１０に逸れ減少補強素子を形成し、それでこれらＬ字状のクロス羽板２４、２６は、ここに図２及び５〜７に説明されるように、各々ベッド基礎１１ａ、１１ｂ、１１ｃ及び１１ｄのための参照数字３６ａ、３６ｂ、３６ｃ及び３６ｄで一般に指定された種々のマットレス支持組立体のための補強材又は梁として作用する。
【００１７】
Ｌ字状の補強クロス羽板又は補強材２４及び２６は、材木、プラスチック、金属等のようなどの好適な材料からも構成されてもよく、例えば成型、造形、鍛造等によって一体一片素子として形成されてもよく、或は所望ならば釘止め、鋲又はホッチキス留め、ネジ止め、接着止め等の単独又は組合せのような公知の手順によって分離した部材から単一組立体に形成されてもよい。しかしながら図１〜３に説明されるように、代表的なＬ字状のクロス羽板２４は、木材から形成されて、枠１０から垂直上方に延長した直立ウェブ区分３２と、枠１０の水平長手方向に延長したフランジ区分３４とを含む２つの連結部分からなる。クロス羽板２４の直立ウェブ区分３２及びフランジ区分３４は、これら区分３２、３４がどの適切な固定手順でも連結され得ることが認識され、釘３５で固定されている。
【００１８】
組立において、Ｌ字状の補強クロス羽板２４、２６は、接続する釘、ステープル、ネジ又は他の留め具を受け又は縁に沿って接着されるその区分が羽板のフランジ区分３４になり、Ｌ字状の組立体の他の区分が直立ウェブ区分３２になるように、配向されてもよい。この配向は、留め具が引張負荷の下で引き抜かれ又は分離されるリスクを回避する留め具を剪断で緊張させる。またここに説明されるように、Ｌ字状の補強されたクロス羽板補強材２４、２６は、それらの間に粘着剤又は接着剤３７を塗布することによって側レール１２及び１４の上面に固定され、これらの表面が所望ならば釘止め、鋲又はホッチキス留め、ネジ止め、接着止め等の単独又は組合せのような他の公知の締め付け方法で固定されてもよいことは認識される。また図１に示されるように、Ｌ字状の補強されたクロス羽板補強材２４、２６は、それらのフランジ区分３４が反対側の長手方向に対面するように位置合わせしてもよい。しかしながら、所望ならば、フランジは、対面の位置合せに配置されてもよい。
【００１９】
図２及び４〜７に説明されるように、Ｌ字状の補強材２４、２６上のフランジ区分３４は、３６ａ、３６ｂ、３６ｃ及び３６ｄとしてここに種々に指定された種々の弾性及び非弾性マットレス支持組立体に適応させるように構築され寸法化される。例えば、図２及び４に示された本発明の実施例において、マットレス支持組立体３６ａは、複数列の円錐状コイルバネ３８を含む弾性ちょうちんバネである。この構成において、複数のコイルバネ３８はＬ字状の補強材２４、２６のフランジ区分３４に載せられ、コイル接続ワイヤ枠４０がバネ３８のトップに取付られる。クッション材料４２はワイヤ枠４０によって支持され、カバー即ち丈夫な綿布４４は、全部の基礎１１ａのために外面を形成するように供給される。説明されるように、マットレス４６は、マットレス支持組立体３６ａ上に支持される。
【００２０】
図５に示された本発明の実施例において、Ｌ字状の補強材２４、２６は、一片木製部材として一体形成され、それらの間に接着剤（膠）３７を塗布することによって側レール１４、１６に固定される。マットレス支持組立体３６ｂは、複数列のトーションバネ４８を含む弾性ちょうちんバネである。この構成において、複数のトーションバネ４８は、留め具５０によってＬ字状の補強材２４、２６のフランジ区分３４に取付及び支持され、コイル接続ワイヤ枠５２がバネ４８のトップに取付られる。図２及び４に説明されたこの発明の実施例と同様に、クッション材料５４はワイヤ枠４８で支持され、カバー或は丈夫な綿布５６は、全部の基礎１１ｂ用の外面を形成するために提供される。マットレス４６は、このマットレス支持組立体３６ｂに支持される。
【００２１】
上記から、この発明のちょうちんバネ組立体に使用されるバネ組立体は形態及び構成が異なってもよく、その中に使用されるバネはコイル、基本バネ、板バネ、モジュール式又はトーションバネのようなどの選択された形式を持ってもよいことが明白である。従来技術は、これら従来の商業的形態に加えて他種のバネ形態を示唆している。本発明の目的のために、用いられたバネ組立体の特定型又は形態はオプション的である。
【００２２】
図６に説明されるように、非弾性ベッド基礎１１ｃはマットレス支持組立体３６ｃを使用して提供される。この構成において、Ｌ字状の補強材は、接着剤３７によって枠組構造１４に付着される。Ｌ字状の補強材の直立ウェブ区分３２及びフランジ区分３４はそれらの間に接着剤５７を塗布することによって結合され、マットレス支持組立体３６ｃは、留め具６０によってＬ字状の補強材２４及び２６のフランジ区分３４に取付及び支持された複数のワイヤ支持部材５８を備えている。この実施例において、クッション材料６２は組立体３６ｃ上に敷き詰められ、カバー或いは丈夫な綿布６４は、全部の基礎１１ｃ用に外面を形成するために提供される。マットレス４６は、マットレス支持組立体３６ｃ上に支持される。
【００２３】
図７は支持組立体３６ｄを使用した非弾性基礎１１ｄを提供する本発明の他の実施例を示す。この構成において、マットレス支持組立体３６ｄは、Ｌ字状の補強材２４、２６のフランジ区分３４に取付及び支持された複数の堅い直立木製ブロック支持部材６６と、ブロック支持部材６６に載せられた線形基板部材６８とを含む。この実施例において、クッション材料７０は組立体３６ｄの上で敷き詰められ、カバー又は丈夫な綿布７２が全部の基礎１１ｄ用に外面を形成するために提供される。マットレス４６は、マットレス支持組立体３６ｄ上で支持される。
【００２４】
ここに開示された補強された枠組構造の有効性を説明するために、Ｌ字状の補強されたクロス羽板の長手方向の配向がさもなければ同一的に構成された製造物のために用いられる米国特許第４，３９９，５７３号の開示に従って構成された枠組構造に対する、横方向に延長したＬ字状の補強されたクロス羽板を使用した本製造物の比較試験が行なわれた。この試験の結果、Ｌ字状の補強された補強材の横方向に配置された配向を持つ本発明に従って製造したベッドは、従来技術の製造物と比較して、同一荷重下で枠逸れの顕著な減少を証明したことが決定された。特に、既に述べたように、横方向に配置されたＬ字状の補強されたクロス羽板補強材の使用は、米国特許第４，３９９，５７３号の開示に従って製造されたベッド製造物と比較した時に、９”ｘ１８”プラテンに集中された普通の２５０ポンド〜５００ポンド試験負荷で荷重された時に、枠基礎における１０％〜２０％垂直な逸れ減少の結果となる。
【００２５】
Ｌ字状の補強されたクロス羽板補強材の配向を長手方向から横方向配置に変更することは明白に過大な耐逸れ特性の枠組構造を提供し、それゆえに未使用時にベッドのレベル及びきちんとした外観を維持するだけでなく、ベッドが占有された時に平面及びレベル支持をマットレスに形成するその機能及び目的に最も適切に適する基礎を提供できることが今理解することができる。
【００２６】
また、本発明の補強された部材の横方向の配向は、Ｌ字状の梁の水平のウェブ部材として現存するクロス羽板の使用によって材料及び重量の節約を許容し、現行の組立方法で改善された連続性を許容し、マットレス支持組立体が横方向の配向におけるＬ字状の補強材の水平フランジに直接敷き詰められるので、印加された負荷によって剪断されない継ぎ目の張力欠陥が必須的に排除される。
【００２７】
本発明は、好ましい実施例に関連して説明されたが、多くの変形及び修正が本発明の精神及び視野から逸脱しないでなされることは当該技術者によって理解される。したがって、添付された請求項が本発明の真の精神及び視野内にある全てのこのような変形及び修正を網羅することを意図している。
【図面の簡単な説明】
【図１】  この発明によるベッド基礎のための枠組構造の斜視図である。
【図２】  マットレスを支持し枠に上敷きされる格子を有する枠に配置されたコイルバネを示す弾性ベッド基礎に搭載された図１の枠組構造の長手側面図である。
【図３】  図１の３−３線に沿った枠組構造の横方向に配置されたＬ字状の補強材部分の断面図である。
【図４】  枠組構造に配置されたコイルバネを示す図２のベッド基礎の一部破断平面図である。
【図５】  マットレスを支持し枠に上敷きされる格子を有する枠に配置されたトーションバネを示す弾性ベッド基礎に搭載された図１の枠組構造の長手側面図である。
【図６】  マットレスを支持し枠に配置されたワイヤ支持を示す非弾性ベッド基礎に搭載された図１の枠組構造の長手側面図である。
【図７】  マットレスを支持し枠に配置された木製ブロックを示す非弾性ベッド基礎に搭載された図１の枠組構造の長手側面図である。
【符号の説明】
１０    枠組構造
１２    側レール
１４    側レール
１６    頭端レール
１８    脚端レール
２０〜３０    クロス羽板
２４，２６    逸れ減少補強素子（Ｌ字状の補強材）
３２    直立ウェブ区分
３４    水平フランジ区分
【図１】
0003647747.tif 000002
【図２】
0003647747.tif 000003
【図３】
0003647747.tif 000004
【図４】
0003647747.tif 000005
【図５】
0003647747.tif 000006
【図６】
0003647747.tif 000007
【図７】
0003647747.tif 000008